(57)【要約】【課題】印刷ジョブを実行するか否かをユーザー自身が適切に判断する。【解決手段】画像形成装置１００は、タッチパネル４１、受付部５０１、表示制御部５０３、選択部５０４、及び実行部５０５を備える。受付部５０１は、ユーザーが携帯するスマートフォン２００から印刷ジョブＪＢを受け付ける。表示制御部５０３は、スマートフォン２００から画像形成装置１００までの距離ＬＰを、印刷ジョブＪＢを示す識別文字列ＪＢＮに対応付けてタッチパネル４１に表示する。選択部５０４は、ユーザーからの指示に基づいて、タッチパネル４１に表示された複数の印刷ジョブＪＢの中から、実行する印刷ジョブＪＢを選択する。実行部５０５は、選択部５０４が選択した印刷ジョブＪＢを実行する。【選択図】図３
2018192763.tif 000002
【特許請求の範囲】
【請求項１】
表示部と
ユーザーが携帯する携帯端末装置から印刷ジョブを受け付ける受付部と、
前記携帯端末装置から当該画像形成装置までの距離を、前記印刷ジョブを示す識別文字列に対応付けて前記表示部に表示する表示制御部と、
ユーザーからの指示に基づいて、前記表示部に表示された複数の前記印刷ジョブの中から、実行する前記印刷ジョブを選択する選択部と、
前記選択部が選択した前記印刷ジョブを実行する実行部と
を備え、
前記印刷ジョブは、記録媒体に画像を形成するジョブを示す、画像形成装置。
【請求項２】
前記画像形成装置は、前記画像形成装置による印刷サービスを提供する店舗内に配置され、
前記表示制御部は、前記携帯端末装置から前記画像形成装置までの距離が所定距離以下である場合に、前記携帯端末装置のユーザーが前記店舗内に居ることを前記表示部に表示する、請求項１に記載の画像形成装置。
【請求項３】
前記印刷ジョブの実行に要する所要時間を算出する算出部を更に備え、
前記表示制御部は、前記所要時間を前記識別文字列に対応付けて前記表示部に表示する、請求項１又は請求項２に記載の画像形成装置。
【請求項４】
前記表示制御部は、前記印刷ジョブにおいて前記画像を形成する前記記録媒体の枚数を前記識別文字列に対応付けて前記表示部に表示する、請求項１から請求項３のいずれか１項に記載の画像形成装置。
【請求項５】
前記表示制御部は、前記印刷ジョブを前記受付部が受け付けた時点からの経過時間を前記識別文字列に対応付けて前記表示部に表示する、請求項１から請求項４のいずれか１項に記載の画像形成装置。
【請求項６】
前記表示制御部は、前記携帯端末装置から前記画像形成装置までの距離に関するメッセージを前記識別文字列に対応付けて前記表示部に表示する、請求項１から請求項５のいずれか１項に記載の画像形成装置。
【請求項７】
前記表示制御部は、前記印刷ジョブを前記受付部が受け付けた時点からの経過時間の変化に応じて、前記メッセージを更新する、請求項６に記載の画像形成装置。
【請求項８】
前記表示制御部は、前記印刷ジョブが写真画像を前記記録媒体に形成する印刷ジョブであるか否かを前記識別文字列に対応付けて前記表示部に表示する、請求項１から請求項７のいずれか１項に記載の画像形成装置。
【請求項９】
前記表示制御部が前記表示部に表示する情報を、前記携帯端末装置に表示するように前記携帯端末装置に送信する送信部を更に備える、請求項１から請求項８のいずれか１項に記載の画像形成装置。
【発明の詳細な説明】
【技術分野】
【０００１】
本発明は、画像形成装置に関する。
【背景技術】
【０００２】
特許文献１に記載の印刷装置は、プリントジョブとコピージョブとを実行する。プリントジョブは、各パーソナルコンピューターから受け取った画像を用紙に形成するジョブを示す。コピージョブは、スキャナーによって読み取られた画像を用紙に形成するジョブを示す。印刷装置は、ユーザーのＩＤ番号を認識し、このユーザー名のプリントジョブが登録されているか否かを判定する。そして、印刷装置は、このユーザー名のプリントジョブについて、優先度がコピージョブよりも高いことを確認してから、このユーザー名のプリントジョブを実行する。
【先行技術文献】
【特許文献】
【０００３】
【特許文献１】特開２００２−２０６６号公報
【発明の概要】
【発明が解決しようとする課題】
【０００４】
しかしながら、特許文献１に記載の印刷装置では、プリントジョブを実行するためには、優先度がコピージョブよりも高い必要があるが、印刷装置が決定した優先度がユーザーの意向に沿わない可能性がある。
【０００５】
具体的には、印刷装置がコンビニエンスストアの店舗に配置され、ユーザーからのプリントジョブとコピージョブとを受け付けて実行する場合には、受け付けの早い順に処理を実行することが公平の観点からは望ましい。しかしながら、店舗から離れた位置に居るユーザーからのプリントジョブを最も先に受け付けている場合には、このユーザーが店舗に到着するには時間を要するため、このユーザーからのプリントジョブを最先に処理する必要はない。このように、プリントジョブとコピージョブとを受け付けて、どのような順番で実行するかは、種々の事情を勘案して判断する必要がある。
【０００６】
本発明は、上記課題に鑑みてなされたものであり、印刷ジョブを実行するか否かをユーザー自身が適切に判断することが可能な画像形成装置を提供することを目的としている。
【課題を解決するための手段】
【０００７】
本発明の画像形成装置は、表示部、受付部、表示制御部、選択部、及び実行部を備える。前記受付部は、ユーザーが携帯する携帯端末装置から印刷ジョブを受け付ける。前記表示制御部は、前記携帯端末装置から当該画像形成装置までの距離を、前記印刷ジョブを示す識別文字列に対応付けて前記表示部に表示する。前記選択部は、ユーザーからの指示に基づいて、前記表示部に表示された複数の前記印刷ジョブの中から、実行する前記印刷ジョブを選択する。前記実行部は、前記選択部が選択した前記印刷ジョブを実行する。
【発明の効果】
【０００８】
本発明の画像形成装置によれば、印刷ジョブを実行するか否かをユーザー自身が適切に判断できる。
【図面の簡単な説明】
【０００９】
【図１】本発明の実施形態に係る画像形成装置の接続状態を示す図である。
【図２】本発明の実施形態に係る画像形成装置の構成を示す図である。
【図３】本発明の実施形態に係る制御部の構成を示す図である。
【図４】タッチパネルに表示されるジョブ表示画面の一例を示す画面図である。
【図５】タッチパネルに表示されるジョブ表示画面の別の一例を示す画面図である。
【図６】制御部の処理を示すフローチャートである。
【図７】制御部の処理を示すフローチャートである。
【図８】制御部のジョブ実行処理を示すフローチャートである。
【図９】制御部のジョブ終了処理を示すフローチャートである。
【発明を実施するための形態】
【００１０】
以下、本発明の実施形態について、図面（図１〜図９）を参照しながら説明する。なお、図中、同一又は相当部分については同一の参照符号を付して説明を繰り返さない。
【００１１】
まず、図１を参照して画像形成装置１００の接続状態について説明する。図１は、本発明の実施形態に係る画像形成装置１００の接続状態を示す図である。図１に示すように、画像形成装置１００は、複数のスマートフォン２００と通信可能に接続される。
【００１２】
スマートフォン２００は、タッチパネル２１０を備える。タッチパネル２１０は、例えば、ＬＣＤ（Ｌｉｑｕｉｄ  Ｃｒｙｓｔａｌ  Ｄｉｓｐｌａｙ）を備え、種々の画像を表示する。また、タッチパネル２１０は、タッチセンサーを更に備え、ユーザーからの操作を受け付ける。スマートフォン２００は、「携帯端末装置」の一例に相当する。
【００１３】
また、スマートフォン２００は、ＧＰＧ（Ｇｌｏｂａｌ  Ｐｏｓｉｔｉｏｎｉｎｇ  Ｓｙｓｔｅｍ）を介して、スマートフォン２００の位置情報を取得する。そして、スマートフォン２００は、位置情報を画像形成装置１００からの要求に応じて送信する。
【００１４】
本実施形態では、ユーザーはスマートフォン２００を介して、プリントジョブを画像形成装置１００に対して指示する。「プリントジョブ」は、スマートフォン２００から受信した画像を用紙に形成するジョブを示す。
【００１５】
次に、図２を参照して、本発明の実施形態に係る画像形成装置１００について説明する。図２は、画像形成装置１００の構成を示す図である。図２に示すように、画像形成装置１００は、カラー複合機である。画像形成装置１００は、いわゆる、「電子写真方式」で用紙Ｐ（記録媒体）に画像を形成する。
【００１６】
画像形成装置１００は、画像形成ユニット１、画像読取ユニット２、原稿搬送ユニット３、操作表示部４、及び制御部５を備える。画像形成装置１００は、本実施形態では、コンビニエンスストアの店舗ＳＴ内に配置される。店舗ＳＴは、「画像形成装置による印刷サービスを提供する店舗」の一例に相当する。
【００１７】
画像形成ユニット１は、用紙Ｐに画像を形成する。画像読取ユニット２は、原稿Ｒに形成された画像を読み取り、画像情報を生成する。原稿搬送ユニット３は、画像読取ユニット２に原稿Ｒを搬送する。
【００１８】
操作表示部４は、タッチパネル４１を備える。タッチパネル４１は、例えば、ＬＣＤ（Ｌｉｑｕｉｄ  Ｃｒｙｓｔａｌ  Ｄｉｓｐｌａｙ）を備え、種々の画像を表示する。タッチパネル４１は、タッチセンサーを更に備え、ユーザーの操作を受け付ける。タッチパネル４１は、「表示部」の一例に相当する。
【００１９】
制御部５は、プロセッサー５Ａ、及び記憶部５Ｂを備える。プロセッサー５Ａは、例えばＣＰＵ（Ｃｅｎｔｒａｌ  Ｐｒｏｃｅｓｓｉｎｇ  Ｕｎｉｔ）を備える。記憶部５Ｂは、半導体メモリーのようなメモリーを備え、ＨＤＤ（Ｈａｒｄ  Ｄｉｓｋ  Ｄｒｉｖｅ）を備えてもよい。記憶部５Ｂは、制御プログラムを記憶している。
【００２０】
また、画像形成ユニット１は、給送部１２、及び画像形成部１４を備える。
【００２１】
給送部１２は、用紙Ｐを画像形成部１４へ供給する。画像形成部１４は、用紙Ｐに画像を形成する。画像が形成された用紙Ｐは、用紙Ｐに形成された画像を用紙Ｐに定着した後、外部に排出される。
【００２２】
次に、図１〜図３を参照して、本発明の実施形態に係る制御部５の構成について説明する。図３は、制御部５の構成を示す図である。図３に示すように、制御部５は、受付部５０１、算出部５０２、表示制御部５０３、選択部５０４、実行部５０５、及び送信部５０６を備える。具体的には、プロセッサー５Ａが、制御プログラムを実行することによって、受付部５０１、算出部５０２、表示制御部５０３、選択部５０４、実行部５０５、及び送信部５０６として機能する。
【００２３】
受付部５０１は、スマートフォン２００から印刷ジョブＪＢを受け付ける。印刷ジョブＪＢは、用紙Ｐに画像を形成するジョブを示す。印刷ジョブＪＢは、本発明の実施形態では、「プリントジョブ」である。また、受付部５０１は、印刷ジョブＪＢを受け付ける度に、印刷ジョブＪＢを示す識別文字列ＪＢＮを付与する。
【００２４】
算出部５０２は、印刷ジョブＪＢの実行に要する所要時間ＴＮを算出する。具体的には、算出部５０２は、所要時間ＴＮを、写真印刷か否か、及び、画像を形成する用紙Ｐのサイズに基づき算出する。また、算出部５０２は、スマートフォン２００から画像形成装置１００までの距離ＬＰを算出する。具体的には、算出部５０２は、スマートフォン２００の位置情報を取得し、距離ＬＰを算出する。
【００２５】
表示制御部５０３は、距離ＬＰを、印刷ジョブＪＢを示す識別文字列ＪＢＮに対応付けてタッチパネル４１に表示する。また、表示制御部５０３は、写真印刷か否かをタッチパネル４１に表示する。「写真印刷」とは、写真画像を用紙Ｐに形成することを示す。なお、写真印刷の際には、用紙Ｐとして写真印刷用の光沢紙が選択される場合がある。
【００２６】
選択部５０４は、ユーザーからのタッチパネル４１による指示に基づいて、タッチパネル４１に表示された複数の印刷ジョブＪＢの中から、実行する印刷ジョブＪＢを選択する。
【００２７】
実行部５０５は、選択部５０４が選択した印刷ジョブＪＢを実行する。具体的には、実行部５０５は、画像形成部１４を介して、選択部５０４が選択した印刷ジョブＪＢに含まれる画像を用紙Ｐに形成する。
【００２８】
送信部５０６は、表示制御部５０３がタッチパネル４１に表示する印刷ジョブＪＢの情報を、スマートフォン２００のタッチパネル２１０に表示するようスマートフォン２００に送信する。
【００２９】
以上、図１〜図３を参照して説明したように、本発明の実施形態では、スマートフォン２００から画像形成装置１００までの距離ＬＰを、印刷ジョブＪＢを示す識別文字列ＪＢＮに対応付けてタッチパネル４１に表示する。よって、印刷ジョブＪＢを指示したスマートフォン２００からの距離ＬＰを参照して、印刷ジョブを実行するか否かをユーザー自身が適切に判断できる。
【００３０】
例えば、他のユーザーの印刷ジョブＪＢの距離ＬＰが全て遠距離（例えば、３００ｍ以上）である場合には、他のユーザーより先に自分の印刷ジョブＪＢを実行すると判断できる。
【００３１】
また、印刷ジョブＪＢが写真画像を用紙Ｐに形成する印刷ジョブＪＢであるか否かをタッチパネル４１に表示する。写真画像を用紙Ｐに形成する印刷ジョブＪＢである場合には、文書を用紙Ｐに形成する印刷ジョブＪＢと比較して、印刷ジョブＪＢの実行に要する所要時間ＴＮが極端に長くなる。よって、印刷ジョブＪＢが写真画像を用紙Ｐに形成する印刷ジョブＪＢであるか否かを参照して、ユーザーは、自分が指示した印刷ジョブＪＢを実行するか否かを更に適切に判断できる。
【００３２】
次に、図１〜図５を参照して、表示制御部５０３がタッチパネル４１に表示する内容について説明する。図４は、タッチパネル４１に表示されるジョブ表示画面６００の一例を示す画面図である。図５は、タッチパネルに表示されるジョブ表示画面６１０の別の一例を示す画面図である。図５のジョブ表示画面６１０は、図４のジョブ表示画面６００が表示された時点から２分経過後に表示される。
【００３３】
図４及び図５に示すように、ジョブ表示画面６００及びジョブ表示画面６１０には、それぞれ、識別文字列６０１、プリント形式６０２、枚数６０３、所要時間６０４、距離６０５、店舗滞在時間６０６、予約後の経過時間６０７、及びメッセージ欄６０８が表示されている。
【００３４】
識別文字列６０１は、印刷ジョブＪＢの指示をしたユーザーを示す。本発明の実施形態では、識別文字列６０１には、ユーザー名を含む。識別文字列６０１は、例えば、「Ａ様」のように、ユーザー名が「Ａ」であることを示す。
【００３５】
プリント形式６０２は、印刷ジョブＪＢが写真印刷か否か、及び、印刷ジョブＪＢにおいて画像を形成する用紙Ｐのサイズを示す。具体的には、プリント形式６０２には、写真印刷の場合には、「写真」と表示し、写真印刷ではない場合には、用紙Ｐのサイズを表示する。
【００３６】
枚数６０３は、印刷ジョブＪＢにおいて画像を形成する用紙Ｐの枚数を示す。
【００３７】
所要時間６０４は、印刷ジョブＪＢの実行に要する所要時間ＴＮを示す。所要時間ＴＮは、算出部５０２が算出する。
【００３８】
距離６０５は、スマートフォン２００と画像形成装置１００との距離ＬＰを示す。また、画像形成装置１００が配置されているユーザーが店舗ＳＴ内に居る場合には、距離６０５には「店内」と表示される。具体的には、表示制御部５０３は、距離ＬＰが所定距離ＬＳ以下である場合に、ユーザーが店舗ＳＴ内に居ると判定する。所定距離ＬＳは、例えば、５ｍである。
【００３９】
店舗滞在時間６０６は、印刷ジョブＪＢを指示したユーザーが店舗ＳＴ内に居ると表示制御部５０３が判定した時点からの経過時間ＴＰを示す。
【００４０】
予約後の経過時間６０７は、印刷ジョブＪＢを受付部５０１が受け付けた時点からの経過時間ＴＱを示す。経過時間ＴＱは、算出部５０２が算出する。
【００４１】
メッセージ欄６０８には、印刷ジョブＪＢを実行するか否かをユーザー自身が判断するための参考にする情報を文章で表示する。メッセージ欄６０８には、例えば、「Ｂ様が店内に居ます。すぐに完了するジョブのようです。」とのメッセージＭＧを表示している。
【００４２】
メッセージＭＧは、表示制御部５０３が生成し、タッチパネル４１に表示する。具体的には、表示制御部５０３は、スマートフォン２００から画像形成装置１００までの距離ＬＰに関するメッセージＭＧを生成する。例えば、距離ＬＰが３００ｍである場合には、表示制御部５０３は、印刷ジョブＪＢを指示したユーザーは数分後に店舗ＳＴに到着する可能性があると判定する。その結果、メッセージ欄６０８には、「Ｃ様が予約をしました。数分後に来店する可能性があります。」とのメッセージＭＧが表示されている。
【００４３】
以上、図１〜図５を参照して説明したように、本発明の実施形態では、スマートフォン２００から画像形成装置１００までの距離ＬＰが所定距離ＬＳ以下である場合に、スマートフォン２００のユーザーが店舗ＳＴ内に居ることをタッチパネル４１に表示する。したがって、印刷ジョブＪＢを指示したユーザーが店舗ＳＴ内に居るか否かを確認できる。
【００４４】
また、印刷ジョブＪＢを示す識別文字列ＪＢＮに対応付けて所要時間ＴＮをタッチパネル４１に表示する。所要時間ＴＮは、印刷ジョブＪＢの実行に要する時間を示す。したがって、所要時間ＴＮを参照して、印刷ジョブＪＢを実行するか否かをユーザー自身が更に適切に判断できる。
【００４５】
例えば、ユーザーが指示した印刷ジョブＪＢの所要時間ＴＮが長時間である場合には、印刷ジョブＪＢの所要時間が短時間の他のユーザーが店舗ＳＴ内に居るか否かに応じて、印刷ジョブＪＢを実行するか否かをユーザー自身が判断できる。「長時間」とは、例えば、４０分間であり、「短時間」とは、例えば、３秒間である。他のユーザーが店舗ＳＴ内に居る場合には、ユーザーは印刷ジョブＪＢを実行せず、他のユーザーに印刷ジョブＪＢを先に実行してもらうと判断する。他のユーザーが店舗ＳＴ内に居ない場合には、印刷ジョブＪＢを実行するとユーザーは判断する。
【００４６】
また、印刷ジョブＪＢを示す識別文字列ＪＢＮに対応付けて、印刷ジョブＪＢにおいて画像を形成する用紙Ｐの枚数をタッチパネル４１に表示する。したがって、枚数を参照して、印刷ジョブＪＢを実行するか否かをユーザー自身が更に適切に判断できる。
【００４７】
更に、印刷ジョブＪＢを示す識別文字列ＪＢＮに対応付けて、印刷ジョブＪＢを受付部５０１が受け付けた時点からの経過時間ＴＱをタッチパネル４１に表示する。よって、経過時間ＴＱを参照して、印刷ジョブＪＢを実行するか否かをユーザー自身が更に適切に判断できる。
【００４８】
例えば、経過時間ＴＱの長い他のユーザーが店舗ＳＴ内に居るか居ないかに応じて、印刷ジョブＪＢを実行するか否かをユーザー自身が判断できる。他のユーザーが店舗ＳＴ内に居る場合には、ユーザーは印刷ジョブＪＢを実行せず、他のユーザーに印刷ジョブＪＢを先に実行してもらうと判断する。他のユーザーが店舗ＳＴ内に居ない場合には、印刷ジョブＪＢを実行するとユーザーは判断する。
【００４９】
次に、図１〜図５を参照して、表示制御部５０３がタッチパネル４１に表示する内容について更に説明する。図４に示すように、メッセージ欄６０８には、「Ｄ様が店の付近にいます。」と表示されている。これに対して、図５に示すように、メッセージ欄６０８には、「Ｄ様が店の付近にいますが、すぐにはプリントしない可能性があります。」と表示されている。
【００５０】
表示制御部５０３は、印刷ジョブＪＢを受付部５０１が受け付けた時点からの経過時間ＴＱの変化に応じて、メッセージ欄６０８に表示するメッセージＭＧを更新する。
【００５１】
具体的には、表示制御部５０３は、印刷ジョブＪＢの経過時間ＴＱが所定時間ＴＳ以上となったか否かを判定する。そして、印刷ジョブＪＢの経過時間ＴＱが所定時間ＴＳ以上となったと表示制御部５０３が判定した場合には、表示制御部５０３は、この印刷ジョブＪＢがすぐには実行されない可能性がある旨表示する。所定時間ＴＳは、例えば３０分間を示す。
【００５２】
以上、図１〜図５を参照して説明したように、本発明の実施形態では、印刷ジョブＪＢを示す識別文字列ＪＢＮに対応付けて、スマートフォン２００から画像形成装置１００までの距離ＬＰに関するメッセージＭＧをタッチパネル４１に表示する。よって、距離ＬＰに関するメッセージＭＧを参照して、印刷ジョブＪＢを実行するか否かをユーザー自身が更に適切に判断できる。
【００５３】
例えば、表示制御部５０３は、距離ＬＰが３００ｍである場合には、印刷ジョブＪＢを指示したユーザーは数分後に店舗ＳＴに到着する可能性があると判定する。その結果、メッセージ欄６０８には、距離ＬＰに関するメッセージＭＧとして、「Ｃ様が予約をしました。数分後に来店する可能性があります。」とのメッセージＭＧが表示される。
【００５４】
また、印刷ジョブＪＢを受付部５０１が受け付けた時点からの経過時間ＴＱの変化に応じて、メッセージＭＧを更新する。よって、メッセージＭＧを参照して、印刷ジョブＪＢを実行するか否かをユーザー自身が更に適切に判断できる。
【００５５】
次に、図１〜図９を参照して、制御部５の処理について説明する。図６及び図７は、制御部５の処理を示すフローチャートである。
図６に示すように、まず、ステップＳ１０１において、受付部５０１が、スマートフォン２００から印刷ジョブＪＢを受け付けたか否かを判定する。
印刷ジョブＪＢを受け付けていないと受付部５０１が判定した場合（ステップＳ１０１でＮＯ）には、処理がステップＳ１０５に進む。印刷ジョブＪＢを受け付けたと受付部５０１が判定した場合（ステップＳ１０１でＹＥＳ）には、処理がステップＳ１０３に進む。
そして、ステップＳ１０３において、受付部５０１は、印刷ジョブＪＢを示す識別文字列ＪＢＮを付与する。
【００５６】
次に、ステップＳ１０５において、算出部５０２は、各印刷ジョブＪＢを指示した各スマートフォン２００から画像形成装置１００までの距離ＬＰを算出する。
そして、ステップＳ１０７において、表示制御部５０３は、印刷ジョブＪＢを指示したユーザーが店舗ＳＴ内に居るか否かを判定する。具体的には、表示制御部５０３は、距離ＬＰが所定距離ＬＳ以下である場合に、ユーザーが店舗ＳＴ内に居ると判定する。
ユーザーが店舗ＳＴ内に居ると表示制御部５０３が判定した場合（ステップＳ１０７でＹＥＳ）には、処理がステップＳ１０９に進む。そして、ステップＳ１０９において、表示制御部５０３は、印刷ジョブＪＢを指示したユーザーが店舗ＳＴ内に居る旨をタッチパネル４１に表示し、処理がステップＳ１１３に進む。
ユーザーが店舗ＳＴ内に居ないと表示制御部５０３が判定した場合（ステップＳ１０７でＮＯ）には、処理がステップＳ１１１に進む。そして、ステップＳ１１１において、表示制御部５０３は、距離ＬＰをタッチパネル４１に表示し、処理がステップＳ１１３に進む。
【００５７】
そして、ステップＳ１１３において、表示制御部５０３は、メッセージＭＧを生成する。
そして、ステップＳ１１５において、表示制御部５０３は、メッセージＭＧをタッチパネル４１に表示する。
次に、ステップＳ１１７において、算出部５０２は、印刷ジョブＪＢの実行に要する所要時間ＴＮを算出する。
そして、ステップＳ１１９において、表示制御部５０３は、所要時間ＴＮをタッチパネル４１に表示する。
次に、図７に示すように、ステップＳ１２１において、算出部５０２は、印刷ジョブＪＢを受付部５０１が受け付けた時点からの経過時間ＴＱを算出する。
そして、ステップＳ１２３において、表示制御部５０３は、経過時間ＴＱをタッチパネル４１に表示する。
【００５８】
次に、ステップＳ１２５において、表示制御部５０３は、経過時間ＴＱが所定時間ＴＳ以上であるか否かを判定する。
経過時間ＴＱが所定時間ＴＳ以上ではないと表示制御部５０３が判定した場合（ステップＳ１２５でＮＯ）には、処理がステップＳ１２９に進む。経過時間ＴＱが所定時間ＴＳ以上であると表示制御部５０３が判定した場合（ステップＳ１２５でＹＥＳ）には、処理がステップＳ１２７に進む。
そして、ステップＳ１２７において、表示制御部５０３は、メッセージＭＧを更新して、タッチパネル４１に表示する。
次に、ステップＳ１２９において、送信部５０６は、表示制御部５０３がタッチパネル４１に表示している印刷ジョブＪＢの情報を、スマートフォン２００に送信する。スマートフォン２００は、受信した印刷ジョブＪＢの情報を、スマートフォン２００のタッチパネル２１０に表示する。
【００５９】
次に、ステップＳ１３１において、制御部５が、「ジョブ実行処理」を実行する。「ジョブ実行処理」は、印刷ジョブＪＢを実行する処理を示す。
次に、ステップＳ１３３において、制御部５が、「ジョブ終了処理」を実行し、処理が終了する。「ジョブ終了処理」は、印刷ジョブＪＢの実行が終了した際に行う処理を示す。
【００６０】
以上、図１〜図７を参照して説明したように、本発明の実施形態では、表示制御部５０３がタッチパネル４１に表示する情報を、スマートフォン２００に表示するようにスマートフォン２００に送信する。よって、印刷ジョブＪＢを指示したユーザーは、画像形成装置１００に表示されている内容を確認できる。したがって、ユーザーは、印刷ジョブＪＢを実行するために、画像形成装置１００の近くに行くか否かを適切に判断できる。
【００６１】
次に、図８を参照して、「ジョブ実行処理」について説明する。図８は、制御部５の「ジョブ実行処理」を示すフローチャートである。
図８に示すように、まず、ステップＳ２０１において、選択部５０４は、ユーザーからのタッチパネル４１による指示に基づいて、実行する印刷ジョブＪＢの選択を受け付けたか否かを判定する。具体的には、選択部５０４は、タッチパネル４１に表示された複数の印刷ジョブＪＢの中から、実行する印刷ジョブＪＢを選択する。
実行する印刷ジョブＪＢの選択を受け付けていないと選択部５０４が判定した場合（ステップＳ２０１でＮＯ）には、処理が図７のステップＳ１３３に進む。実行する印刷ジョブＪＢの選択を受け付けたと選択部５０４が判定した場合（ステップＳ２０１でＹＥＳ）には、処理がステップＳ２０３に進む。
次に、ステップＳ２０３において、表示制御部５０３は、所要時間ＴＮをタッチパネル４１に表示する。所要時間ＴＮは、印刷ジョブＪＢの実行に要する時間を示す。
【００６２】
そして、ステップＳ２０５において、実行部５０５は、ユーザーからのタッチパネル４１による指示に基づいて、印刷ジョブＪＢを実行する旨の指示を受け付けたか否かを判定する。
印刷ジョブＪＢを実行する旨の指示を受け付けていないと実行部５０５が判定した場合（ステップＳ２０５でＮＯ）には、処理が図７のステップＳ１３３に進む。印刷ジョブＪＢを実行する旨の指示を受け付けたと実行部５０５が判定した場合（ステップＳ２０５でＹＥＳ）には、処理がステップＳ２０７に進む。
そして、ステップＳ２０７において、実行部５０５は、印刷ジョブＪＢを実行する。
次に、ステップＳ２０９において、表示制御部５０３は、印刷ジョブＪＢを実行中である旨をタッチパネル４１に表示する。例えば、表示制御部５０３は、図４に示すジョブ表示画面６００において、実行中の印刷ジョブＪＢに対応する識別文字列６０１を点滅表示する。
次に、ステップＳ２１１において、送信部５０６は、印刷ジョブＪＢを実行中である旨を表示するようにスマートフォン２００に送信し、処理が図７のステップＳ１３３に進む。
【００６３】
以上、図１〜図８を参照して説明したように、本発明の実施形態では、印刷ジョブＪＢを実行中である旨を表示するようにスマートフォン２００に送信する。したがって、ユーザーは、店舗ＳＴに行くこと無く、他のユーザーの印刷ジョブＪＢが実行中であることを認識できる。
【００６４】
次に、図９を参照して、「ジョブ終了処理」について説明する。図９は、制御部５の「ジョブ終了処理」を示すフローチャートである。
図９に示すように、まず、ステップＳ３０１において、実行部５０５が、印刷ジョブＪＢの実行が終了したか否かを判定する。
印刷ジョブＪＢの実行が終了していないと実行部５０５が判定した場合（ステップＳ３０１でＮＯ）には、処理がステップＳ３０７に進む。印刷ジョブＪＢの実行が終了したと実行部５０５が判定した場合（ステップＳ３０１でＹＥＳ）には、処理がステップＳ３０３に進む。
そして、ステップＳ３０３において、表示制御部５０３は、実行が終了した印刷ジョブＪＢに対応する情報をタッチパネル４１から消去する。具体的には、表示制御部５０３は、図４に示すジョブ表示画面６００において、「Ｂ様」の印刷ジョブＪＢが終了した場合には、「Ｂ様」の印刷ジョブＪＢに関する情報を消去する。その結果、ジョブ表示画面６００には、「Ａ様」の印刷ジョブＪＢ、「Ｃ様」の印刷ジョブＪＢ、及び「Ｄ様」の印刷ジョブＪＢに関する情報が表示される。
次に、ステップＳ３０５において、送信部５０６は、印刷ジョブＪＢの実行が終了した旨を表示するように、印刷ジョブＪＢの実行が終了した旨の情報をスマートフォン２００に送信し、処理が終了する。
【００６５】
ステップＳ３０１でＮＯの場合には、ステップＳ３０７において、表示制御部５０３は、残り時間ＴＲをタッチパネル４１に表示する。残り時間ＴＲは、印刷ジョブＪＢの実行が終了するまでに要する時間を示す。
そして、ステップＳ３０９において、送信部５０６は、残り時間ＴＲを表示するように、残り時間ＴＲを示す情報をスマートフォン２００に送信し、処理が終了する。
【００６６】
以上、図１〜図９を参照して説明したように、本発明の実施形態では、送信部５０６は、印刷ジョブＪＢの実行が終了した旨を表示するように、印刷ジョブＪＢの実行が終了した旨の情報をスマートフォン２００に送信する。したがって、ユーザーは、店舗ＳＴに行くこと無く、印刷ジョブＪＢの実行が終了したことを認識できる。
【００６７】
また、送信部５０６は、残り時間ＴＲを表示するように、残り時間ＴＲを示す情報をスマートフォン２００に送信する。したがって、ユーザーは、店舗ＳＴに行くこと無く、印刷ジョブＪＢの残り時間ＴＲを認識できる。
【００６８】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（２））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であり、特に限定されるものではなく、本発明の構成から実質的に逸脱しない範囲で種々の変更が可能である。
【００６９】
（１）図１を参照して説明したように、ユーザーはスマートフォン２００を介して、プリントジョブを画像形成装置１００に対して指示するが、本発明はこれに限定されない。ユーザーが携帯端末装置を介してプリントジョブを画像形成装置１００に対して指示すればよい。「携帯端末装置」は、例えば、タブレット型ＰＣ（Ｐｅｒｓｏｎａｌ  Ｃｏｍｐｕｔｅｒ）でもよい。
【００７０】
（２）図１及び図２を参照して説明したように、画像形成装置１００はカラー複合機であるが、本発明はこれに限定されない。画像形成装置が用紙Ｐに画像を形成すればよい。例えば、画像形成装置がカラープリンターでもよい。また、例えば、画像形成装置がカラー複写機でもよい。
【産業上の利用可能性】
【００７１】
本発明は、画像形成装置に関するものであり、産業上の利用可能性を有する。
【符号の説明】
【００７２】
１００    画像形成装置
１    画像形成ユニット
１４    画像形成部
２    画像読取ユニット
３    原稿搬送ユニット
４    操作表示部
４１    タッチパネル（表示部）
５    制御部
５０１    受付部
５０２    算出部
５０３    表示制御部
５０４    選択部
５０５    実行部
５０６    送信部
２００    スマートフォン
２１０    タッチパネル
【図１】
2018192763.tif 000003
【図２】
2018192763.tif 000004
【図３】
2018192763.tif 000005
【図４】
2018192763.tif 000006
【図５】
2018192763.tif 000007
【図６】
2018192763.tif 000008
【図７】
2018192763.tif 000009
【図８】
2018192763.tif 000010
【図９】
2018192763.tif 000011